(57)【要約】【課題】  回胴式遊技機において、遊技者の膝と受け皿との干渉を可及的に回避する。ドル箱による遊技者の足元スペースの制約を回避する。受け皿からドル箱へのメダルの移し替え作業を容易にする。【解決手段】  メダル貸出機２０の横に配置される回胴式遊技機１０である。回胴式遊技機１０は、貸出機２０から払い出されたメダルを介在させて複数の図柄を変動させる図柄変動表示ゲームを行うと共に、ゲーム結果に応じた枚数のメダルを排出するメダル払出口１８Ｂ、及びその払出口１８Ｂから払い出されたメダルを受ける受け皿１５Ｂを正面下部に有する。受け皿１５Ｂは、メダル貸出機２０の側に位置する一部分（下段部）１５１に対して、反対側に位置する残りの部分（上段部）１５２が上方へ変位した２段構造になっており、上段部１５２の下にドル箱を収容するための空間１５５を形成する。下段部１５１は、メダル貸出機２０から払い出されるメダルの受け皿であり、上段部１５２は、払出口１８Ｂから払い出されたメダルの受け皿である。【選択図】  図１
2011036396.tif 000002
【特許請求の範囲】
【請求項１】
メダル貸出機の横に配置され、その貸出機から払い出されたメダルを介在させて複数の図柄を変動させる図柄変動表示ゲームを行うと共に、ゲーム結果に応じた枚数のメダルを排出するメダル払出口、及びその払出口から払い出されたメダルを受ける受け皿を正面下部に有し、その受け皿が前記メダル貸出機から払い出されるメダルの受け皿を兼ねる回胴式遊技機において、
前記メダル受けが、前記メダル貸出機の側に位置する一部分に対して、反対側に位置する残りの部分が上方へ変位した２段構造になっており、反対側に位置する上段部の下に空間を形成するように構成されていることを特徴とする回胴式遊技機。
【請求項２】
請求項１に記載の回胴式遊技機において、
メダル貸出機の側に位置する下段部が、メダル貸出機から払い出されるメダルの受け皿であり、反対側の上段部がメダル払出口から払い出されたメダルの受け皿である回胴式遊技機。
【請求項３】
請求項１又は２に記載の回胴式遊技機において、
メダル貸出機とは反対の側に位置する上段部の下に形成される空間が、ドル箱を収容可能に形成されている回胴式遊技機。
【請求項４】
請求項１〜３の何れかに記載の回胴式遊技機において、
２段式の受け皿は、メダル貸出機とは反対の側に位置する上段部と、メダル貸出機の側に位置する下段部との間でメダルの滑動が可能なように、上段部と下段部が連続した受け皿を形成する回胴式遊技機。
【請求項５】
請求項１〜４の何れかに記載の回胴式遊技機において、
メダル貸出機の側に位置する下段部が、メダル貸出機から離れた側を支点として、メダル貸出機側から反対側へ下降傾斜するように回動可能である回胴式遊技機。
【請求項６】
請求項５に記載の回胴式遊技機において、
メダル貸出機とは反対の側に位置する上段部の下に形成される空間が、ドル箱を収容可能に形成されており、下段部の下降傾斜により下段部内のメダルが、上段部の下にセットされたドル箱に流入する回胴式遊技機。
【請求項７】
請求項６に記載の回胴式遊技機において、
２段式の受け皿は、メダル貸出機とは反対の側に位置する上段部から、メダル貸出機の側に位置する下段部へメダルの流動が可能なように、上段部と下段部が連続した受け皿を形成する回胴式遊技機。
【請求項８】
請求項４〜７の何れかに記載の回胴式遊技機において、
上段部と下段部がシュート部を介して連続する回胴式遊技機。
【請求項９】
請求項８に記載の回胴式遊技機において、シュート部が下段部と共に回動するように下段部と一体化されている回胴式遊技機。
【請求項１０】
請求項９に記載の回胴式遊技機において、シュート部は下段部が回動しない状態では上段部から下段部へのメダル受入シュートとなり、下段部が回動した状態では下段部内のメダルの排出シュートとなる回胴式遊技機。
【発明の詳細な説明】
【技術分野】
【０００１】
本発明は、パチスロ機に代表される回胴式遊技機に関し、より詳しくは、当該遊技機から払い出されるメダルを受けるために正面下部に設けられ、当該遊技機の側方に配置されたメダル貸出機から払い出されるメダルの受け皿をも兼ねるメダル受けに工夫を講じた回胴式遊技機に関する。
【背景技術】
【０００２】
遊技機ホールにおいては、遊技者の利便性を図るために、回胴式遊技機はメダル貸出機（特許文献１及び特許文献２参照）とセットで配置されるのが最近の傾向である。回胴式遊技機とメダル貸出機の典型的な配置形態を図５により説明する。
【０００３】
回胴式遊技機１０は、メダル貸出機２０の左側に配置され、メダル貸出機２０と共に架台４０上にセットされている。個々の回胴式遊技機１０は、前面が開放した筐体１０Ａと、筐体１０Ａの前面開口部を閉じる開放可能な前扉１０Ｂとを備えている。筐体１０Ａ内には、水平軸回りに回転するドラム１１Ａの他に、図示されないメダル払出機、制御用基板などの本体機構が収容されている。
【０００４】
回動式遊技機１０の前扉１０Ｂは、左側をヒンジ軸とする片開き構造であり、上から順に発光表示部１１Ｂ、液晶表示部１２Ｂ、ドラム１１Ａの覗き窓１３Ｂ、メダル投入口１４Ｂ、操作部１５Ｂ、及び受け皿１６Ｂなどが設けられている。メダル投入口１４Ｂ及び操作部１６Ｂは、操作性の点から、正面側へ突出したテーブル１７Ｂの上面に設けられている。操作部１５Ｂはスタートボタン、ストップボタンなどからなり、メダル投入口１４Ｂより正面側に設けられている。
【０００５】
受け皿１６Ｂは、図示されないメダル払出口から排出されるメダルを受けるため、及び隣に配置されたメダル貸出機２０から払い出されるメダルを受けるために、前扉１０Ｂの最下部に略全幅にわたって設けられており、メダル収容量の確保、及び皿内のメダルの取り扱い性等を考慮して正面側へ大きく突出している。
【０００６】
メダル貸出機２０は、遊技者の利便性を考慮して回胴式遊技機１０の右側に配置され、投入金額に見合う量のメダルを下部のシュート２１から払い出す。シュート２１は回胴式遊技機１０の受け皿１６Ｂにメダルを投入するべく、回胴式遊技機１０の側に湾曲している。また、遊技の邪魔になるのを避けたり、前扉１０Ｂを開放する際の障害になるのを避けたりするために、付け根を支点として水平方向に旋回可能に構成されている。
【０００７】
ところで、このような回胴式遊技機１０に共通する問題の一つは、受け皿１６Ｂが最下部から正面側へ大きく突出しているために、遊技者の姿勢によっては膝が受け皿１６Ｂに当たることである。このため、遊技者の姿勢が制約される問題がある。
【０００８】
今一つの問題は、ドル箱の保管場所のないことや、受け皿１５Ｂからドル箱へのメダルの移し替え作業の煩わしさである。すなわち、回胴式遊技機１０が当たりモードに入ると、大量のメダルが連続的に受け皿１６Ｂ内に排出される。受け皿１５Ｂ内に収容されるメダル数は限られているので、遊技者は受け皿１５Ｂ内のメダルをドル箱と呼ばれる別の箱に移し替ることになる。この移し替えは、ドル箱を膝の上に載せて行われ、何箱にも及ぶので、結構煩わしいものであるが、これについての対策は出願人の知る限り存在しない。また、遊技者の足元の床上にドル箱は保管されるので、ドル箱によって足元のスペースが制限されることも問題である。
【先行技術文献】
【特許文献】
【０００９】
【特許文献１】特開２００５−７３９００号公報
【特許文献２】特開２００７−２９５１６号公報
【発明の概要】
【発明が解決しようとする課題】
【００１０】
本発明は、このような事情に鑑みてなされたもので、遊技者の膝と受け皿との干渉を可及的に回避できる回胴式遊技機を提供することを目的とする。本発明の別の目的は、ドル箱による遊技者の足元スペースの制約を回避できる回胴式遊技機を提供することにある。本発明の更に別の目的は、受け皿からドル箱へのメダルの移し替え作業が容易な回胴式遊技機を提供することにある。
【課題を解決するための手段】
【００１１】
上記目的を達成するために、本発明の回胴式遊技機は、メダル貸出機の横に配置され、その貸出機から払い出されたメダルを介在させて複数の図柄を変動させる図柄変動表示ゲームを行うと共に、ゲーム結果に応じた枚数のメダルを排出するメダル払出口、及びその払出口から払い出されたメダルを受ける受け皿を正面下部に有し、その受け皿が前記メダル貸出機から払い出されるメダルの受け皿を兼ねる回胴式遊技機において、前記メダル受けが、前記メダル貸出機の側に位置する一部分に対して、反対側に位置する残りの部分が上方へ変位した２段構造になっており、反対側に位置する上段部の下に空間を形成するように構成されていることを構成上の特徴点としている。
【００１２】
本発明の回胴式遊技機においては、メダル受けが、メダル貸出機の側に位置する一部分に対して、反対側に位置する残りの部分が上方へ変位した２段構造になっており、反対側に位置する上段部の下に空間を形成するように構成されているので、遊技者の膝がメダル受けに当たり難い。
【００１３】
２段式の受け皿に関しては、メダル貸出機の側に位置する一部分が元のレベルに維持された下段部になっているので、その下段部にてメダル貸出機から払い出されるメダルを従来どおり受けることができる。メダル貸出機の側に位置する部分が上方へ変位すると、メダル貸出機から払い出されるメダルの受け皿として機能しなくなる危険がある。反対側の上段部をメダル払出口から払い出されたメダルの受け皿とし、メダル貸出機の側の下段部と反対側の上段部との間で機能分けをしたことにより使用性が向上したわけである。
【００１４】
メダル貸出機とは反対の側に位置する上段部の下に形成される空間については、ドル箱収容部分とすることにより、遊技者の足元からドル箱を排除することができ、足元スペースが広がる。
【００１５】
２段式の受け皿は又、メダル貸出機とは反対の側に位置する上段部と、メダル貸出機の側に位置する下段部との間でメダルの滑動が可能なように、上段部と下段部が連続した構成とするのが好ましい。この構成によると、メダル払出口から上段部に払い出されたメダルを滑動により簡単に下段部へ移動させることができるし、反対に下段部内のメダルを滑動により上段部へ簡単に移動させることができる。すなわち、上段部とした段部との間でのメダルの授受が容易となる。
【００１６】
２段式の受け皿に関しては又、メダル貸出機の側に位置する下段部が、メダル貸出機から離れた側を支点として、メダル貸出機側から反対側へ下降傾斜するように回動可能とされた構成が好ましい。この構成によると、下段部の回動により、下段部内のメダルが上段部の下に置かれたドル箱内に自重により自然流入し、受け皿からドル箱へのメダルの移し替え作業が簡単になる。上段部と下段部とが連続した受け皿の場合は、上段部から下段部へのメダル移し替えも簡単であり、トータルとして受け皿内の全メダルのドル箱へのメダルの移し替え作業が簡単になる。
【００１７】
２段式の受け皿に関しては又、上段部と下段部がシュート部を介して連続する構成が好ましい。この構成によると、上段部から下段部へのメダルの移し替えが容易となる。この場合、シュート部は、下段部と共に回動するように下段部と一体化された構成が好ましく、下段部が回動しない状態では上段部から下段部へのメダル受入シュートとなり、下段部が回動した状態では下段部内のメダルの排出シュートとなる構成がより好ましい。この構成によると、下段部の回動による下段部から上段部下のドル箱へのメダル移し替えにもシュートが利用され、その移し替えがよりスムーズとなる。
【００１８】
上段部の上方への変位量は、前扉の下縁部から上段部の底部上面までの距離で表して８〜１２ｃｍが好ましい。この変位量が小さすぎると、上段部の下にドル箱を置くスペースを確保できない。また、遊技者の膝が受け皿に当たる頻度を十分に下げることができない。反対に、この変位量が大きすぎる場合は、下段部との落差が大きくなり、メダルのスムーズな移し替えが困難になる。また、上段部より上における前扉のデザイン上の制約が大きくなる。
【発明の効果】
【００１９】
本発明の回胴式遊技機は、メダル受けを、メダル貸出機の側に位置する一部分に対して、反対側に位置する残りの部分が上方へ変位した２段構造とし、上方へ変位した部分に遊技者の膝が当たり難くしたので、遊技者が膝を組んでもその膝が受け皿に当たるのを可及的に回避することができる。また、上段部の下に形成される空間にドル箱を収容可能とすることにより、ドル箱による遊技者の足元スペースの制限を回避できる。また、メダル貸出機の側に位置する下段部を、メダル貸出機から離れた側の端部を支点として、メダル貸出機側から反対側へ下降傾斜するように回動可能な構成とすることにより、受け皿からドル箱へのメダルの移し替え作業が容易となる。
【図面の簡単な説明】
【００２０】
【図１】本発明の第１実施形態を示す回胴式遊技機の斜視図である。
【図２】同回胴式遊技機の別の角度からの斜視図である。
【図３】本発明の第２実施形態についてその主要部である受け皿近傍の斜視図である。
【図４】同受け皿近傍の別の角度からの斜視図である。
【図５】従来の回胴式遊技機の斜視図である。
【発明を実施するための形態】
【００２１】
以下、本発明の実施形態を図面に基づいて詳細に説明する。
【００２２】
第１実施形態の回胴式遊技機は、図１及び図２に示すように、図５に示した従来の回胴式遊技機と比べて正面下端部に設けられる受け皿の構造が主に相違する。他の部分の構造については実質的に同一である。その構成は以下のとおりである。
【００２３】
回胴式遊技機１０は、メダル貸出機２０の左側に配置され、メダル貸出機２０と共に図示されない架台上に載置固定される。回胴式遊技機１０は、前面が開放した縦に長い直方体の筐体１０Ａと、筐体１０Ａの前面開口部を閉じる開放可能な前扉１０Ｂとを備えている。筐体１０Ａ内にはドラム１１Ａや図示されないメダル払出機、制御用基板などの本体機構が収容されている。
【００２４】
回動式遊技機１０の前扉１０Ｂは、左側をヒンジ軸とする片開き構造であり、上から順に発光表示部１１Ｂ、液晶表示部１２Ｂ、ドラム１１Ａの除き窓１３Ｂ、メダル投入口１４Ｂ、操作部１５Ｂ、及び受け皿１６Ｂなどが設けられている。メダル投入口１３Ｂ及び操作部１５Ｂは、操作性の点から、正面側へ突出したテーブル１７Ｂの上面に設けられている。投入操作が容易なように、メダル投入口１４Ｂは開口部の大きいホッパー形状になっている。操作部１５Ｂはスタートボタン、ストップボタンなどからなり、操作性の点から、テーブル１７Ｂ上面のメダル投入口１４Ｂより更に正面側に設けられている。
【００２５】
受け皿１６Ｂは、テーブル１７Ｂの下側にあり、前扉１０Ｂの最下部の略全域にわたる領域から正面側へ突出している。この受け皿１６Ｂは向かって右側、すなわちメダル貸出機２０の側の下段部１６１と反対側の上段部１６２とに分かれている。下段部１６１が従来と同じ高さであるのに対し、上段部１６２は下段部１６１の深さに略相当する高さである１０ｃｍほど上方に変位しており、その下側、すなわち前扉１０Ｂの下端面レベルとの間に、ドル箱が収容可能な空間１６５を形成している。
【００２６】
下段部１６１と上段部１６２との間は隔壁１６３により仕切られている。下段部１６１は、右側に隣接して配置されるメダル貸出機２０からのメダルの受け皿であり、従来どおりの下端部に設けられているので、従来のメダル貸出機２０からのメダルを支障なく受けることができる。
【００２７】
一方、上段部１６２は、メダル払出口１８Ｂから払い出されるメダルの受け皿である。これに関連して、メダル払出口１８Ｂは上段部１６２の中央部上に位置するように左側に変位して設けられている。上段部１６２の外側の側壁１６４は正面側へ突出する方向に対して内側へ傾斜している。側壁１６４の内側への傾斜により、側壁１６４の外側に形成される空間１６５’は、ドリンクホルダースペースなどに利用可能であるし、ドリンクホルダースペースとして利用しなければ遊技機の膝と受け皿１６Ｂとの干渉をより効果的に回避することができる。
【００２８】
メダル貸出機２０は、遊技者の利便性を考慮して回胴式遊技機１０の右側に配置され、投入金額に見合う量のメダルを下部のシュート２１から排出する。シュート２１は回胴式遊技機１０の受け皿１６Ｂ、特に右側の下段部１６１にメダルを投入するべく、回胴式遊技機１０の側に湾曲している。また、遊技の邪魔になるのを避けたり、前扉１０Ｂを開放する際の障害になるのを避けたりするために、付け根を支点として水平方向に旋回可能に構成されている。
【００２９】
受け皿１６Ｂの構造を除けば、図５に示した従来の回胴式遊技機と基本的に構成、機能が同じであるので構成、機能の同一部分については詳細な説明を省略する。
【００３０】
図１及び図２に示した第１実施形態の回胴式遊技機においては、前扉１０Ｂの最下部に設けられる受け皿１６Ｂが、向かって右側、すなわちメダル貸出機２０の側の下段部１６１と反対側の上段部１６２とにより構成されており、メダル貸出機２０の側の下段部１６１は従来と同じ低いレベルに配置されているので、従来のメダル貸出機２０から払い出されるメダルを確実に受け入れることができる。
【００３１】
反対側の上段部１６２は、下段部１６１より高い位置にあり、下にドル箱を収容可能な空間１６５を形成しているので、この空間１６５内にドル箱を置くことができる。これにより、遊技者の足元にドル箱を置く必要がなくなり、遊技者の足元が広々とすることにより、遊技者の身体的負担が軽減される。
【００３２】
上段部１６２の下に形成される空間１６５にドル箱を置かなければ、遊技者の左膝が受け皿１６Ｂに更に当たり難くなり、左足を組むような姿勢も可能となることからも、遊技者の身体的負担の一層の軽減が可能となる。
【００３３】
第２実施形態の回胴式遊技機は、第１実施形態の回胴式遊技機と比して前扉１０Ｂに設けられた受け皿１６Ｂが主に相違する。前扉１０Ｂの受け皿１６Ｂを除く部分は、第１実施形態の回胴式遊技機と同じであるので、詳しい説明を省略する。
【００３４】
第２実施形態の回胴式遊技機における受け皿１６Ｂは、図３及び図４に示すように、前扉１０Ｂの下端部正面の向かって左端部を除く部分に設けられている。当該回胴式遊技機がメダル貸出機２０の左側に配置される点などは、第１実施形態の回胴式遊技機と同じである。
【００３５】
ここにおける受け皿１６Ｂは、全体としては前扉１０Ｂの下端部から正面側に突出しており、向かって右側、即ちメダル貸出機２０の側は下段部１６１、反対側は上段部１６２である。下段部１６１が従来と同じ高さであるのに対し、上段部１６２は下段部１６１の深さに略２倍に相当する１０ｃｍ程度、上方に変位しており、その下側、則ち前扉１０Ｂの下端面レベルとの間に、ドル箱３０が収容可能な空間１６５を形成している。
【００３６】
受け皿１６Ｂの左側にはドリンクホルダー１９Ｂが、前扉１０Ｂ及び受け皿１６Ｂの上段部１６１と一体的に設けられている。ドリンクホルダー１９Ｂは、前扉１０Ｂの下端部正面の左端部分から手前側へ突出しており、その高さは受け皿１６Ｂの上段部１６２より若干低い程度であり、下段部１５１に比べると十分に高いレベルにある。
【００３７】
受け皿１６Ｂの下段部１６１は、右側に隣接して配置されるメダル貸出機２０からのメダルの受け皿であり、従来どおりの下端部に設けられているので、従来のメダル貸出機２０からのメダルを支障なく受けることができる。一方、上段部１６２は、メダル払出口１８Ｂから払い出されるメダルの受け皿である。下段部１６１と上段部１６２との間は、上段部１６２から下段部１６１へ向けて約４５度の角度で下降傾斜するシュート部１６６を介して連続している。
【００３８】
上段部１６２、下段部１６１及びシュート部１６６について更に詳しく説明すると、上段部１６２は、ドリンクホルダー１９Ｂと共に前扉１０Ｂの下端部正面から正面側へ突出しており、且つ前扉１０Ｂと一体化されている。この上段部１６２は、前扉１０Ｂの正面に平行な前壁１６２ａ、前壁１６２ａに平行な後壁１６２ｂ、水平な底板１６２ｃ、ドリンクホルダー１９Ｂへのメダルの落下を防止するために左端に設けられた側壁１６２ｄなどからなり、右側には、前壁１６２ａをシュート部１５６の下降傾斜に沿って延長した支持壁１６７が設けられている。
【００３９】
これに対し、下段部１６１及びシュート部１６６は一体的に形成されており、前扉１０Ｂからは独立している。すなわち、シュート１６６の前壁１６６ａ、後壁１６６ｂ及び底板１６６ｃは、下段部１６１の前壁１６１ａ、後壁１６１ｂ及び底板１６１ｃとそれぞれ一体化されており、下段部１６１の右端は側壁１６１ｄにより閉じられている。そして、一体化された下段部１６１及びシュート部１６６は、支持壁１６７とシュート１６６の前壁１６６ａとを回動自在に軸支する水平な軸体１６８により、軸体１５８を中心として傾動可能に連結されている。
【００４０】
更に具体的に説明すると、下段部１６１及びシュート部１６６は、下段部１６１が水平となる図３の状態が通常位置であり、この状態でシュート部１６６は、上段部１６２と連続する。下段部１６１及びシュート部１６６を通常位置に固定するために、前扉１０Ｂの下端部右端からはストッパー１６９が正面側へ突出しており、下段部１６１の右端部分には、このストッパー１６９が嵌合する凹部１６１ｅが設けられている。
【００４１】
メダルは、前扉１０Ｂのメダル払出口１８Ｂから上段部１６２に払い出される。そのメダルは、シュート部１６６を介して下段部１６２へ簡単に落とし込むことができる。また、下段部１６１は従来と同じ低いレベルに位置するので、右側に配置された従来のメダル貸出機２０から払い出されるメダルを確実に受け入れることができる。
【００４２】
図４に示すように、上段部１６２の下にドル箱３０を置き、下段部１６１にメダルが溜まった状態で、下段部１６１及びシュート部１６６を軸体１６８を支点として半時計回りに回動させ、シュート部１６６の底板１６６ｃが上段部１６２の側へ下降傾斜するまで傾動させる。そうすると、下段部１６１内のメダルは自重によりシュート部１６６を介してドル箱３０内に自然流入する。シュート部１６６は通常状態では、上段部１６２内のメダルを下段部１６１内へ移し替る際のガイドとなり、傾斜状態では下段部１６１内のメダルをドル箱３０内へ移し替る際のガイドとなるのである。
【００４３】
図３及び図４に示した第２実施形態の回胴式遊技機においては、前扉１０Ｂの最下部に設けられる受け皿１６Ｂが、向かって右側、すなわちメダル貸出機２０の側の下段部１６１と反対側の上段部１６２とに分かれて構成されており、メダル貸出機２０の側の下段部１６１は従来と同じ低いレベルに配置されているので、従来のメダル貸出機２０から払い出されるメダルを確実に受け入れることができる。
【００４４】
反対側の上段部１６２は、下段部１６１より高い位置にあり、下にドル箱３０を収容可能な空間１６５を形成しているので、この空間１６５内にドル箱３０を置くことができる。これにより、遊技者の足元にドル箱を置く必要がなくなり、遊技者の足元が広々とすることにより、遊技者の身体的負担の軽減が可能となる。
【００４５】
上段部１６２の下に形成される空間１６５にドル箱３０を置かなければ、遊技者が膝を組んだときの膝回りの余裕が大きくなり、遊技者の身体的負担の軽減が可能となる。上段部１６２の下にドル箱３０をおいても、左端のドリンクホルダー１９Ｂが前扉１０Ｂの下端より上方に変位しているので、前扉１０Ｂと干渉は効果的に回避される。
【００４６】
前扉１０Ｂのメダル払出口１８Ｂから払い出されたメダルは上段部１６２に一旦滞留する。上段部１６２内のメダルはシュート部１６６を介して下段部１６１に簡単に移し替ることができる。単に上段部１６２から下段部１６１へメダルを流し込むだけである。下段部１６１に溜まったメダルは、下段部１６１及びシュート部１６６を軸体１６８を支点として半時計回りに傾動させることにより、上段部１６２の下に置かれたドル箱３０内に自重により自然流入する。したがって、受け皿１６Ｂからドル箱３０へのメダルの移し替えがすこぶる容易となる。
【符号の説明】
【００４７】
１０  回胴式遊技機
１０Ａ  筐体
１１Ａ  ドラム
１０Ｂ  前扉
１１Ｂ  発光表示部
１２Ｂ  液晶表示部
１３Ｂ  覗き窓
１４Ｂ  メダル投入口
１５Ｂ  操作部
１６Ｂ  受け皿
１６１  下段部
１６２  上段部
１６３  隔壁
１６４  側壁
１６５，１６５’空間
１６６  シュート部
１６７  支持壁
１６８  軸体
１６９  ストッパー
１７Ｂ  テーブル
１８Ｂ  メダル払出口
１９Ｂ  ドリンクホルダー
２０  メダル貸出
２１  シュート
３０  ドル箱
４０  架台
【図１】
2011036396.tif 000003
【図２】
2011036396.tif 000004
【図３】
2011036396.tif 000005
【図４】
2011036396.tif 000006
【図５】
2011036396.tif 000007
【手続補正書】
【提出日】平成21年10月15日(2009.10.15)
【手続補正１】
【補正対象書類名】特許請求の範囲
【補正対象項目名】全文
【補正方法】変更
【補正の内容】
【特許請求の範囲】
【請求項１】
メダル貸出機の横に配置され、その貸出機から払い出されたメダルを介在させて複数の図柄を変動させる図柄変動表示ゲームを行うと共に、ゲーム結果に応じた枚数のメダルを排出するメダル払出口、及びその払出口から払い出されたメダルを受けるメダル受皿を正面下部に有し、該メダル受皿がメダル貸出機から払い出されるメダルの受け皿を兼ねる回胴式遊技機において、
該メダル受皿は、メダル貸出機側に位置し、シュート部が一体的に形成された下段部と、該下段部に対して反対側に位置し、上方へ変位した上段部からなる２段構造で、該上段部の下に空間を形成すると共に、上段部から下段部へ向けて下降傾斜する該シュート部を介して上段部と下段部とが連続するように構成されており、
シュート部が形成された下段部は、上段部に対して回動可能に連結されていること、
を特徴とする回胴式遊技機。
【請求項２】
請求項１に記載の回胴式遊技機において、
シュート部は、下段部が回動した状態では下段部内のメダルの排出シュートとなること、
を特徴とする回胴式遊技機。
【請求項３】
請求項１又は請求項２に記載の回胴式遊技機において、
シュート部は、下段部が回動していない連結状態では上段部から下段部へのメダル受入シュートとなること、
を特徴とする回胴式遊技機。
【請求項４】
メダルを介在させて複数の図柄を変動させる図柄変動表示ゲームを行うと共に、ゲーム結果に応じた枚数のメダルをメダル払出口から払い出してメダル受皿に滞留する回胴式遊技機において、
該メダル受皿は、メダル払出口から払い出されたメダルを受ける第一受皿部と、該第一受皿部に対して反対側に位置し、シュート部が一体的に形成された第二受皿部からなり、該第一受皿部の下に空間を形成すると共に、該シュート部を介して第一受皿部と第二受皿部とが連続するように構成されており、
第二受皿部は、第一受皿部に対して回動可能に連結されており、第二受皿部が回動した状態では、シュート部は第二受皿部内のメダルを第一受皿部下の空間へ排出する排出シュートとなること、
を特徴とする回胴式遊技機。
【請求項５】
請求項４に記載の回胴式遊技機において、
シュート部は、第二受皿部が回動していない連結状態では第一受皿部から第二受皿部へのメダル受入シュートとなること、
を特徴とする回胴式遊技機。
【請求項６】
請求項４又は請求項５に記載の回胴式遊技機において、
第二受皿部は、機体横に配置されたメダル貸出機から払い出されたメダルを受けること、
を特徴とする回胴式遊技機。
【手続補正２】
【補正対象書類名】明細書
【補正対象項目名】００１１
【補正方法】変更
【補正の内容】
【００１１】
上記目的を達成するために、請求項１に係る本発明の回胴式遊技機は、メダル貸出機の横に配置され、その貸出機から払い出されたメダルを介在させて複数の図柄を変動させる図柄変動表示ゲームを行うと共に、ゲーム結果に応じた枚数のメダルを排出するメダル払出口、及びその払出口から払い出されたメダルを受けるメダル受皿を正面下部に有し、該メダル受皿がメダル貸出機から払い出されるメダルの受け皿を兼ねる回胴式遊技機において、該メダル受皿は、メダル貸出機側に位置し、シュート部が一体的に形成された下段部と、該下段部に対して反対側に位置し、上方へ変位した上段部からなる２段構造で、該上段部の下に空間を形成すると共に、上段部から下段部へ向けて下降傾斜する該シュート部を介して上段部と下段部とが連続するように構成されており、シュート部が形成された下段部は、上段部に対して回動可能に連結されていることを特徴とする。
【手続補正３】
【補正対象書類名】明細書
【補正対象項目名】００１２
【補正方法】変更
【補正の内容】
【００１２】
請求項２に係る本発明の回胴式遊技機は、請求項１に記載の回胴式遊技機において、
シュート部は、下段部が回動した状態では下段部内のメダルの排出シュートとなることを特徴とする。
【手続補正４】
【補正対象書類名】明細書
【補正対象項目名】００１３
【補正方法】変更
【補正の内容】
【００１３】
請求項３に係る本発明の回胴式遊技機は、請求項１又は請求項２に記載の回胴式遊技機において、シュート部は、下段部が回動していない連結状態では上段部から下段部へのメダル受入シュートとなることを特徴とする。
【手続補正５】
【補正対象書類名】明細書
【補正対象項目名】００１４
【補正方法】変更
【補正の内容】
【００１４】
請求項４に係る本発明の回胴式遊技機は、メダルを介在させて複数の図柄を変動させる図柄変動表示ゲームを行うと共に、ゲーム結果に応じた枚数のメダルをメダル払出口から払い出してメダル受皿に滞留する回胴式遊技機において、該メダル受皿は、メダル払出口から払い出されたメダルを受ける第一受皿部と、該第一受皿部に対して反対側に位置し、シュート部が一体的に形成された第二受皿部からなり、該第一受皿部の下に空間を形成すると共に、該シュート部を介して第一受皿部と第二受皿部とが連続するように構成されており、第二受皿部は、第一受皿部に対して回動可能に連結されており、第二受皿部が回動した状態では、シュート部は第二受皿部内のメダルを第一受皿部下の空間へ排出する排出シュートとなることを特徴とする。
【手続補正６】
【補正対象書類名】明細書
【補正対象項目名】００１５
【補正方法】変更
【補正の内容】
【００１５】
請求項５に係る本発明の回胴式遊技機は、請求項４に記載の回胴式遊技機において、シュート部は、第二受皿部が回動していない連結状態では第一受皿部から第二受皿部へのメダル受入シュートとなることを特徴とする。
【手続補正７】
【補正対象書類名】明細書
【補正対象項目名】００１６
【補正方法】変更
【補正の内容】
【００１６】
請求項６に係る本発明の回胴式遊技機は、請求項４又は請求項５に記載の回胴式遊技機において、第二受皿部は、機体横に配置されたメダル貸出機から払い出されたメダルを受けることを特徴とする。
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】削除
【補正の内容】